(57)【要約】【課題】来場者の興味関心をイベントの事前に収集して、それを反映したイベントを企画することを目的とする。【解決手段】本発明にかかるイベント事前情報収集システムは、イベントでの披露が予定されている複数のパネリストや展示物などの対象とともに、対象に対応した複数のＱＲコードが掲載または表示された、イベントのガイダンス媒体１００、１１０と、ＱＲコード１４０、１５０を読み取って復号することが可能な携帯端末２００と、携帯端末２００がガイダンス媒体１００、１１０からＱＲコード１４０、１５０を読み取って復号したＵＲＬを、携帯端末２００に固有のユニークＩＤに関連付けて記録する管理サーバ３００と、を含むことを特徴とする。【選択図】図１
2009301152.tif 000002
【特許請求の範囲】
【請求項１】
イベントでの披露が予定されている複数の対象とともに該対象に対応した複数のコード担体が掲載または表示された、該イベントのガイダンス媒体と、
コード担体を読み取って復号することが可能な携帯端末と、
前記携帯端末が前記ガイダンス媒体からコード担体を読み取って復号した情報を、該携帯端末に固有の端末識別子に関連付けて記録するサーバと、
を含むことを特徴とするイベント事前情報収集システム。
【請求項２】
イベントの会場内に存在する複数のコード担体と、
コード担体を読み取って復号することが可能な携帯端末と、
前記携帯端末が前記イベント会場内に存在するコード担体を読み取って復号した情報を、該携帯端末に固有の端末識別子に関連付けて記録し、該情報に対応するコンテンツを該携帯端末に配信するサーバと、
を含むことを特徴とするイベント情報収集システム。
【請求項３】
前記イベントの会場内に存在する複数のコード担体は、特定の場所に付されたコード担体を含み、
前記特定の場所に付されたコード担体を前記携帯端末が読み取って復号した情報は、前記携帯端末保持者の視聴の履歴として前記サーバに記録されることを特徴とする請求項２に記載のイベント情報収集システム。
【請求項４】
前記イベントの会場内に存在する複数のコード担体は、人物が携帯する事物に付されたコード担体を含み、
前記事物に付されたコード担体を前記携帯端末が読み取って復号した情報は、該事物を携帯する人物との前記携帯端末保持者の歓談の履歴として前記サーバに記録されることを特徴とする請求項２または３に記載のイベント情報収集システム。
【請求項５】
イベントでの披露が予定されている複数の対象とともに該対象に対応した複数のコード担体を、イベントのガイダンス媒体に掲載または表示して配布し、
前記イベントの事前に、携帯端末を用いて、前記ガイダンス媒体に掲載または表示された任意のコード担体を読み取らせ、
前記携帯端末が前記ガイダンス媒体からコード担体を読み取って復号した情報を、該携帯端末に固有の端末識別子に関連付けてサーバに記録し、
前記記録した情報と端末識別子とに基づいて前記イベントを企画することを特徴とするイベント企画方法。
【請求項６】
携帯端末を用いて、イベントの会場内に存在する任意のコード担体を読み取らせ、
前記携帯端末が前記イベント会場内に存在するコード担体を読み取って復号した情報を、該携帯端末に固有の端末識別子に関連付けてサーバに記録し、
前記記録した情報と端末識別子とに基づいて次回のイベントを企画することを特徴とするイベント企画方法。
【発明の詳細な説明】
【技術分野】
【０００１】
本発明は、多くの来場者が集うイベントの開催に際して、来場者の情報を収集するイベント事前情報収集システム、イベント情報収集システムおよびイベント企画方法に関するものである。
【背景技術】
【０００２】
学会、シンポジウム、展示会、パーティなど、多くの来場者が集うイベントに参加することは、新たな知識や人脈を得る好機となり得る。かかるイベントに参加することで、新規事業のアイディアや研究開発のための新しい着想を持ち帰ることができれば、そのイベントに参加した意義は非常に大きい。
【０００３】
来場者の思考を触発してアイディアや着想を抱かせるようなイベントを企画するには、来場者自身の興味関心に関する情報を収集することが不可欠である。
【０００４】
例えば特許文献１に記載の来場管理システムでは、来場者は、展示会場の受付時に配布されるＩＣタグを、会場内の展示物毎に設置されたＩＣタグリーダにかざして読み込ませることにより、興味ある展示物に投票する。
【０００５】
また、特許文献１では、投票ランキング等の集計結果が会場のディスプレイに表示され、来場者の興味関心の傾向を来場者は知ることができる。投票ランキングの集計結果は、来場者の一般的な興味関心を知る上では有効であり、売れ筋の商品は何か、など、来場者に対して商品やサービスを提供したいと考える者にとって有益な情報である。
【特許文献１】特開２００８−７７５３９号公報
【発明の開示】
【発明が解決しようとする課題】
【０００６】
しかし、特許文献１のようなシステムでは、投票による来場者の興味関心に関する情報収集は、会場で受け取るＩＣタグによって初めて可能となる。展示会などのイベントの事前に収集される情報は、来場日時や来場者の属性などにすぎない。したがって、来場者が何を見たいと考え、誰に会いたいと思ってイベントに参加するかという、イベント事前の来場者の興味関心に関する情報は得られない。そのため、来場者の興味関心を反映したイベントを企画することができない。
【０００７】
また、イベント会場で独創的な知見やアイディアを得たいと考えている来場者は、投票ランキングなどの他者の傾向より、むしろ、自己啓発に役立つ情報を欲していると考えられる。つまり、来場者に寄与するには、来場者自身が興味関心のある情報や資料を、来場者個別に、カスタマイズして提供すべきである。
【０００８】
さらに、イベント事前またはイベント中に収集した情報は、イベント企画者にとっては、次のイベントを企画する上で貴重な情報である。
【０００９】
本発明は、このような課題に鑑み、来場者の興味関心をイベントの事前に収集して、それを反映したイベントを企画し、来場者に対しては、個別にカスタマイズされた情報を提供し、イベント企画者に対しては、イベント事前およびイベント中に収集された情報を提供することが可能なイベント事前情報収集システム、イベント情報収集システムおよびイベント企画方法を提供することを目的としている。
【課題を解決するための手段】
【００１０】
上記課題を解決するために、本発明にかかるイベント事前情報収集システムの代表的な構成は、イベントでの披露が予定されている複数の対象とともに対象に対応した複数のコード担体が掲載または表示された、イベントのガイダンス媒体と、コード担体を読み取って復号することが可能な携帯端末と、携帯端末がガイダンス媒体からコード担体を読み取って復号した情報を、携帯端末に固有の端末識別子に関連付けて記録するサーバと、を含むことを特徴とする。
【００１１】
上記の構成によれば、イベントの事前に、イベント企画者は、イベントで披露される予定の対象（パネリストや展示物）に興味関心を抱いている来場者の人数を把握可能である。かかる情報を収集しておけば、人気のあるパネリストを座長にしたワークショップを企画したり、人気のある展示物を会場内の目立つ場所に配置したりするなど、来場者の興味関心を反映したイベントを企画できる。
【００１２】
上記課題を解決するために、本発明にかかるイベント情報収集システムの代表的な構成は、イベントの会場内に存在する複数のコード担体と、コード担体を読み取って復号することが可能な携帯端末と、携帯端末がイベント会場内に存在するコード担体を読み取って復号した情報を、携帯端末に固有の端末識別子に関連付けて記録し、その情報に対応するコンテンツを携帯端末に配信するサーバと、を含むことを特徴とする。
【００１３】
上記の構成によれば、来場者は、そのイベントで誰に会い、何を見たかという、自身に固有のカスタマイズされた行動履歴を得ることができる。これは、自己啓発に役立つ情報であるだけでなく、イベント後日のレポートを作成するうえでも有用な情報となる。
【００１４】
上記イベントの会場内に存在する複数のコード担体は、特定の場所に付されたコード担体を含み、特定の場所に付されたコード担体を携帯端末が読み取って復号した情報は、携帯端末保持者の視聴の履歴としてサーバに記録されるとよい。
【００１５】
上記イベントの会場内に存在する複数のコード担体は、人物が携帯する事物に付されたコード担体を含み、事物に付されたコード担体を携帯端末が読み取って復号した情報は、事物を携帯する人物との携帯端末保持者の歓談の履歴としてサーバに記録されるとよい。
【００１６】
上記課題を解決するために、本発明にかかるイベント企画方法の代表的な構成は、イベントでの披露が予定されている複数の対象とともに対象に対応した複数のコード担体を、イベントのガイダンス媒体に掲載または表示して配布し、イベントの事前に、携帯端末を用いて、ガイダンス媒体に掲載または表示された任意のコード担体を読み取らせ、携帯端末がガイダンス媒体からコード担体を読み取って復号した情報を、携帯端末に固有の端末識別子に関連付けてサーバに記録し、記録した情報と端末識別子とに基づいてイベントを企画することを特徴とする。
【００１７】
上記課題を解決するために、本発明にかかるイベント企画方法の他の代表的な構成は、携帯端末を用いて、イベントの会場内に存在する任意のコード担体を読み取らせ、携帯端末がイベント会場内に存在するコード担体を読み取って復号した情報を、携帯端末に固有の端末識別子に関連付けてサーバに記録し、記録した情報と端末識別子とに基づいて次回のイベントを企画することを特徴とする。
【００１８】
上記構成によれば、イベント企画者は、イベントにおいて来場者の興味関心に関する貴重な情報を得ることができるため、次のイベントを企画する上で、来場者の思考をさらに触発するようなイベントを企画することが可能となる。
【００１９】
上述したイベント事前情報収集システムまたはイベント情報収集システムにおける技術的思想に対応する構成要素やその説明は、当該イベント企画方法にも適用可能である。
【発明の効果】
【００２０】
本発明によれば、イベント来場者の興味関心をイベントの事前に収集して、それを、イベントの呼び物や、展示会場のレイアウトなどに反映させることができる。これによって、来場者が新たなアイディアを生み出し易い環境を提供する。
【発明を実施するための最良の形態】
【００２１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２２】
（イベント事前情報収集システム）
図１は、本発明にかかるイベント事前情報収集システムの実施形態を示す図である。イベント事前情報収集システムは、イベントでの披露が予定されている複数の対象とともに対象に対応した複数のコード担体が掲載または表示された、イベントのガイダンス媒体を含む。
【００２３】
ガイダンス媒体とは、具体的には、図１（ａ）に示す紙媒体プログラム１００や、図１（ｂ）に示すコンピュータ１１０などの情報機器によってインターネットを介して提供されるイベント情報などである。ガイダンス媒体はこれらに限られず、視覚的に情報を伝達可能なあらゆる媒体としてよい。
【００２４】
「対象」とは、イベントに招待されている、著名人などの人物（本文では以下「パネリスト」と呼ぶ）としてもよいし、イベントで展示される展示物としてもよい。パネリスト１２０（図１（ａ））の講演を聴講したり、パネリスト１２０と歓談したり、展示物１３０（図１（ｂ））を視聴することによって、イベント来場者の思考を触発し、新たなアイディアを生み出させるのが狙いだからである。
【００２５】
コード担体とは、例えばＱＲコード（登録商標）であり、紙媒体プログラム１００にはパネリスト１２０に対応したＱＲコード１４０が掲載されていて、コンピュータ１１０には展示物１３０に対応したＱＲコード１５０が表示されている。
【００２６】
コード担体として、バーコード、ＰＤＦ４１７、ベリコード、マキシコードなどを用いてもよく、後述する携帯端末２００が読み取り可能なものであれば、いかなるものでもよい。ＱＲコードは、水平方向と垂直方向に情報を有する表示方式の２次元コードであり、バーコードと比較するとより多くの情報を符号化でき、印字や表示の面積を小さくできる。
【００２７】
イベント事前情報収集システムは、ＱＲコードを読み取って復号することが可能な携帯端末２００を含む。携帯端末２００は、携帯電話機、ＰＨＳ（Personal Handy-Phone System）、ＰＤＡ（Personal Digital Assistant）などとしてよい。
【００２８】
図２は図１の携帯端末２００のブロック図である。携帯端末２００は、端末制御部２１０と、端末メモリ２１２と、表示部２１４と、操作部２１６と、カメラ２１８と、画像処理部２２０と、ＱＲコード復号部２２１と、端末無線通信部２２２とを含んで構成される。
【００２９】
端末制御部２１０は、中央処理装置（ＣＰＵ）を含む半導体集積回路により携帯端末２００全体を管理および制御する。さらに、端末制御部２１０は、端末メモリ２１２のプログラムを用いて、通話機能、メール送受信機能、撮像機能、音楽再生機能、ＴＶ視聴機能も遂行する。
【００３０】
端末メモリ２１２は、携帯端末２００に固有の端末識別子であるユニークＩＤを記録する記録装置である。端末メモリ２１２は、ＲＯＭ、ＲＡＭ、ＥＥＰＲＯＭ、不揮発性ＲＡＭ、フラッシュメモリ、ＨＤＤ等で構成され、端末制御部２１０で処理されるプログラムや音声データ等も記憶する。
【００３１】
表示部２１４は、液晶ディスプレイ、ＥＬ(Electro Luminescence)等で構成され、端末メモリ２１２に記憶された、またはインターネット２３０を介してアプリケーション中継サーバ（図示せず）から提供される、ＷｅｂブラウザやアプリケーションのＧＵＩ（Graphical User Interface）を表示することができる。操作部２１６は、キーボード、十字キー、ジョイスティック等のスイッチから構成され、ユーザの操作入力を受け付ける。
【００３２】
端末無線通信部２２２は、基地局（図示せず）との無線通信を行い、インターネット２３０に接続を行う。無線通信としては、時分割多重方式（ＴＤＭ：Time Division Multiplex）等が採用されている。
【００３３】
カメラ２１８はＱＲコードを撮像することによって読み取る撮像装置である。画像処理部２２０は、撮像されたＱＲコードをデジタル画像信号として処理する回路であり、処理されたＱＲコード画像は、ＱＲコード復号部２２１によって、典型的には、ＵＲＬ（Uniform Resource Locator）などの文字列情報に復号される。
【００３４】
携帯端末２００を用いれば、図１に示すように、紙媒体プログラム１００やコンピュータ１１０からＱＲコードを読み取って復号することが可能である。
【００３５】
イベント事前情報収集システムは、携帯端末２００がガイダンス媒体からＱＲコードを読み取って復号した情報を、ユニークＩＤと関連付けて記録する管理サーバ３００を含む。図３は図２の携帯端末２００が通信を行う管理サーバ３００のブロック図である。管理サーバ３００は、履歴記録部３０２と、管理サーバ３００全体を制御する制御部３０４と、通信部３０６と、入力部３１３と、表示部３１４と、コンテンツ配信部３１６と、履歴更新部３１８と、履歴集計部３２０と、個別履歴配信部３２２と、コンテンツ３２６とを含む。
【００３６】
そしてコンテンツ３２６は、ユニークＩＤ登録部３０８と、パネリストデータ記録部３１０と、展示物データ記録部３１２と、会場マップ記録部３２４とで構成されている。
【００３７】
携帯端末２００Ａ、２００Ｂは、ＱＲコードを読み取って復号すると、管理サーバ３００にアクセスする。なお携帯端末２００Ａ、２００Ｂの構成は携帯端末２００と同様であり、以下、携帯端末２００Ａを代表として説明する。
【００３８】
管理サーバ３００の履歴更新部３１８は、通信部３０６を介してアクセスしてきた携帯端末２００ＡがＱＲコードから復号した情報を、携帯端末２００ＡのユニークＩＤと関連付けて、履歴記録部３０２に記録する。これは、携帯端末２００Ａの保持者が、自己の興味関心のあるパネリストや展示物を、イベントの事前に知らせてきたことを意味する。
【００３９】
このとき、ユニークＩＤは、ユニークＩＤ登録部３０８にも登録され、これがイベント来場者の登録となる。
【００４０】
本実施形態では、既に説明したように、携帯端末２００Ａの端末メモリ２１２に記録されているユニークＩＤが管理サーバ３００のユニークＩＤ登録部３０８に登録される。しかし、ユニークＩＤは、携帯端末２００Ａに最初から記録されているものに限られない。例えば、携帯端末２００Ａ固有の番号をもとに、中継基地局（図示しない）などで生成されたユニークＩＤを用いてもよい。あるいは、携帯端末２００Ａが管理サーバにアクセスしてきた際、Ｗｅｂブラウザ等を通じ、クッキー（Cookie）を用いて、携帯端末２００Ａに識別情報を記録し、この識別情報をユニークＩＤとして利用してもよい。
【００４１】
（イベント企画方法）
次に、本発明にかかるイベント企画方法の実施形態について説明する。図６（ａ）は本実施形態にかかるイベント企画方法のフローチャートである。イベントの詳細な企画を行う前に、イベントでの披露が予定されているパネリスト１２０や展示物１３０だけを決定し、それらとともに対応するＱＲコード１４０、１５０を、紙媒体プログラム１００やコンピュータ１１０などのガイダンス媒体に掲載または表示して配布する（ステップＳ６００）。
【００４２】
ガイダンス媒体の配布を受けた不特定の人物は、携帯端末２００Ａを用いて、ガイダンス媒体のＱＲコードを図１に示すように読み取る（ステップＳ６０２）。管理サーバ３００は、携帯端末２００ＡにてＱＲコードから復号されたＵＲＬと、携帯端末２００Ａ自体のユニークＩＤとを関連させて、履歴記録部３０２に記録する（ステップＳ６０４）。
【００４３】
このようにして履歴記録部３０２に記録された情報は、管理サーバ３００の履歴集計部３２０によって集計される。したがって、イベントの事前に、イベント企画者は、イベントで披露される予定の対象（パネリストや展示物）に興味関心を抱いている来場者の人数を把握可能である。つまりイベント事前の人気投票が行われる。かかる情報を収集しておけば、人気のあるパネリストを座長にしたワークショップを企画したり、人気のある展示物を会場内の目立つ場所に配置したりするなど、来場者の興味関心を反映したイベントを企画できる（ステップＳ６０６）。
【００４４】
言い換えれば、ガイダンス媒体を配布した時点では、イベントのパネリストや展示物は決定されているものの、未だイベントの詳細な企画は完成していない。つまり、イベントの企画に、来場者が間接的に携わることとなる。
【００４５】
（イベント情報収集システム）
次に、本発明にかかるイベント情報収集システムの実施形態について説明する。本実施形態にかかるイベント情報収集システムは、イベントの会場内に存在する複数のＱＲコードと、ＱＲコードを読み取って復号することが可能な携帯端末２００と、携帯端末２００がイベント会場内に存在するＱＲコードを読み取って復号したＵＲＬを、携帯端末２００に固有のユニークＩＤと関連付けて記録し、そのＵＲＬに対応するコンテンツを携帯端末２００に配信する管理サーバ３００と、を含むことを特徴とする。
【００４６】
携帯端末２００を用いてＱＲコードを読み取り、管理サーバ３００の履歴記録部３０２に記録する処理自体は、イベント事前情報収集システムと同様である。
【００４７】
イベント事前情報収集システムと異なる点は、イベントの会場内に存在するＱＲコードを読み取る点である。
【００４８】
図４はイベントの会場内に存在するＱＲコードを例示する図である。図４（ａ）（ｃ）では、ＱＲコード１５０、１６０は、特定の場所に付されている。図４（ａ）では展示物１３０の傍らに付されていて、図４（ｃ）ではワークショップ会場１７０の机上に付されている。このような特定の場所に付されたＱＲコード１５０、１６０を携帯端末２００が読み取って復号したＵＲＬは、携帯端末保持者の視聴の履歴として管理サーバ３００の履歴記録部３０２に記録される。これにより、来場者個別に、イベント会場で何を視聴したかが記録される。
【００４９】
一方、図４（ｂ）では、ＱＲコード１４０は、パネリスト１２０などの人物が携帯する事物に付されている。その他、パネリスト１２０の名刺や名札にＱＲコードを付してもよい。このように、人物が携帯する事物に付されたＱＲコードを携帯端末が読み取って復号したＵＲＬは、その事物を携帯する人物との携帯端末保持者の歓談の履歴として管理サーバ３００の履歴記録部３０２に記録されるとよい。これにより、来場者個別に、イベント会場で誰に会ったかが記録される。
【００５０】
管理サーバ３００のコンテンツ配信部３１６は、上記の復号したＵＲＬに対応するコンテンツを、コンテンツ３２６から抽出して、携帯端末２００に配信する。ＵＲＬが視聴の履歴であれば、そのＵＲＬに対応する展示物データを、展示物データ記録部３１２から抽出して、携帯端末２００に配信する。その際、展示物の場所を示す会場マップを、会場マップ記録部３２４から併せて配信してもよい。ＵＲＬが歓談の履歴であれば、そのＵＲＬに対応するパネリストデータを、パネリストデータ記録部３１０から抽出して、携帯端末２００に配信する。
【００５１】
ユニークＩＤ登録部３０８には、イベント事前に、来場者のユニークＩＤが登録されている。コンテンツ配信部３１６は、ユニークＩＤが登録されていない者から、イベント中に管理サーバ３００にアクセスがあった場合には、アクセス権限がないとして、コンテンツを配信しないようにしてもよい。
【００５２】
図５は、図２の携帯端末２００が取得したコンテンツを例示する図である。携帯端末２００には、管理サーバ３００から過去に取得したコンテンツを保存可能であり、これを、イベントでの自己の行動の履歴として、来場者は活用できる。すなわち、何時何分に誰と会ったか、どの展示物を視聴したか、というイベントにおける行動の履歴が得られる。例えば図５（ａ）は、記録された履歴２０個のうちの１番目を示していて、写真の展示物１３０を、会場内のセクションＡ−１で見たことが記録されているのが分かる。図５（ｂ）は、記録された履歴２０個のうちの２番目を示していて、写真のパネリスト１２０と、会場内で歓談したことが記録されているのが分かる。
【００５３】
図５のようなイベントでの行動履歴、すなわち、過去にＱＲコードを用いて取得した情報は、来場者毎に異なるものである。したがって、本実施形態にかかるイベント情報収集システムでは、来場者個別にカスタマイズされた情報を提供することが可能である。これにより、来場者は、自己のイベントでの行動を把握し、新たなアイディアを生み出す材料として活用できる。
【００５４】
また、来場者は、自己が接した展示物や人物を総括し、イベント会場から退出するときに、イベント会場から持ち帰るべき資料が分かる。図５（ａ）（ｂ）に示すように、展示物１３０については、その展示場所であるセクションＡ−１に資料１８０があり、パネリスト１２０については、セクションＢ−１（図示しない）に資料があることが示されている。
【００５５】
さらに、図５のようなイベントでの行動履歴は、イベント来場者が、イベント参加の報告書を作成する際にも役立つ。
【００５６】
本実施形態では、携帯端末２００がＱＲコードを読み取ると、リアルタイムに管理サーバ３００にアクセスして履歴を残す構成となっている。例えば展示物を見ているときに、さらに情報がほしくなった場合には、展示物のＱＲコードを携帯端末２００で読み取り、リアルタイムで管理サーバ３００にアクセスしてコンテンツを取得できるとよい。
【００５７】
しかし、リアルタイムに履歴を残したりコンテンツを得たりする必要がないイベントの場合には、イベント会場でＱＲコードだけを読み取って回り、イベント会場の出口で一括してＱＲコードを管理サーバ３００に送信して履歴を残し、さらに、必要なコンテンツもそこで得て帰る、としてもよい。かかる場合、管理サーバ３００へのアクセスは、イベントを通じて１回だけですむ。
【００５８】
また、本実施形態ではインターネット２３０を介して管理サーバ３００にアクセスしているが、Blue Tooth（登録商標）や、ZigBee（登録商標）等の無線方式を用いて管理サーバ３００にアクセスする方式を用いてもよい。
【００５９】
（次イベント企画方法）
図６（ｂ）は本実施形態にかかる他のイベント企画方法のフローチャートである。まず、携帯端末２００を用いて、イベントの会場内に存在する任意のＱＲコードを読み取らせ（ステップＳ６０８）、携帯端末２００がイベント会場内に存在するＱＲコードを読み取って復号したＵＲＬを、携帯端末２００に固有のユニークＩＤと関連付けて管理サーバ３００の履歴記録部３０２に記録する（ステップＳ６１０）。記録したＵＲＬとユニークＩＤとに基づいて次回のイベントを企画する（ステップＳ６１２）。
【００６０】
すなわち、あるイベントにおいて履歴記録部３０２に収集された、来場者個別の履歴は、来場者個別の興味関心を知る上で貴重なデータである。これらのデータを、履歴集計部３２０で集計することにより、来場者を、その興味関心に応じてグループ分けし、グループ毎に、次のイベントを企画することが考えられる。
【００６１】
最初のイベントにおいて触発された来場者の思考を、来場者の興味関心に応じてカスタマイズされた次のイベントに勧誘することによって、さらに触発し、来場者のアイディア創出を支援するのが狙いである。
【００６２】
本実施形態には、イベント会場にて、未だ歓談していないパネリストがどこにいるかを探索する機能を付加してもよい。例えばＧＰＳや、イベント会場のセクションの境界にセンサを設けてパネリストが通過したか否かを判定し、パネリストの現在位置を知ることができる。そして会場マップにこれを表示して、来場者の携帯端末に表示すればよい。これにより、来場者は、所望するパネリストを探すのが容易になる。
【００６３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６４】
本発明は、多くの来場者が集うイベントの開催に際して、来場者の情報を収集するイベント事前情報収集システム、イベント情報収集システムおよびイベント企画方法に利用することができる。
【図面の簡単な説明】
【００６５】
【図１】本発明にかかるイベント事前情報収集システムの実施形態を示す図である。
【図２】図１の携帯端末のブロック図である。
【図３】図２の携帯端末が通信を行う管理サーバのブロック図である。
【図４】イベントの会場内に存在するＱＲコードを例示する図である。
【図５】図２の携帯端末が取得したコンテンツを例示する図である。
【図６】本実施形態にかかるイベント企画方法のフローチャートである。
【符号の説明】
【００６６】
１００  …紙媒体プログラム
１１０  …コンピュータ
１２０  …パネリスト
１３０  …展示物
２００  …携帯端末
２１０  …端末制御部
２１２  …端末メモリ
２１４  …表示部
２１６  …操作部
２１８  …カメラ
２２０  …画像処理部
２２１  …ＱＲコード復号部
２３０  …インターネット
３００  …管理サーバ
３０２  …履歴記録部
３０４  …制御部
３０６  …通信部
３０８  …ユニークＩＤ登録部
３１０  …パネリストデータ記録部
３１２  …展示物データ記録部
３１３  …入力部
３１４  …表示部
３１６  …コンテンツ配信部
３１８  …履歴更新部
３２０  …履歴集計部
３２２  …個別履歴配信部
３２４  …会場マップ
３２６  …コンテンツ
【図１】
2009301152.tif 000003
【図２】
2009301152.tif 000004
【図３】
2009301152.tif 000005
【図４】
2009301152.tif 000006
【図５】
2009301152.tif 000007
【図６】
2009301152.tif 000008